(57)【要約】      （修正有）【課題】意匠性が高く、機能的に新たな付加価値を付与することができるブリスター包装を提供する。【解決手段】吊下げ用の係止部である透孔７８が設けられたシート状の台紙７６と、台紙に取り付けられた収容部１２を備える。収容部は一枚の合成樹脂製ブランクシートから一体的に打ち抜かれた箱体形成片を折り曲げて形成されている。箱体形成片には、収容物を保持する側面と、台紙に固定される糊付片が、互いに折罫線で区切られて設けられている。収容部は、側面２２の下端部を閉鎖する底蓋片を有し、底蓋片または側面の端部が台紙の下端部７６ｂと同一平面上に位置する。底蓋片側を下にして、収容部が略水平な面に自立する。【選択図】図１
2008018964.tif 000002
【特許請求の範囲】
【請求項１】
吊下げ用の係止部が設けられたシート状の台紙と、前記台紙に取り付けられた収容部が設けられ、前記収容部は一枚の合成樹脂製ブランクシートから一体的に打ち抜かれた箱体形成片を折罫線で折り曲げて形成され、前記箱体形成片には、収容物を保持する側面と前記台紙に固定される糊付片が互いに折罫線で区切られて設けられていることを特徴とするブリスター包装。
【請求項２】
前記収容部は、前記側面の下端部を閉鎖する底蓋片が設けられ、前記底蓋片または前記側面の端部が前記台紙の下端部と同一平面上に位置し、前記底蓋片側を下にして前記収容部が略水平な面に自立可能であることを特徴とする請求項１記載のブリスター包装。
【請求項３】
前記収容部には、ミシン線で囲まれた取外し部が設けられ、前記ミシン線を破断して前記取外し部を取ることにより開封されることを特徴とする請求項１記載のブリスター包装。
【請求項４】
吊下げ用の係止部が設けられたシート状の台紙と、前記台紙に取り付けられ収容物を保持する保持部材が設けられ、前記保持部材は一枚の合成樹脂製ブランクシートから一体的に打ち抜かれて設けられ、前記保持部材には、収容物を保持する保持穴部が形成された側面と、前記側面の両端部に連接された糊付片が互いに折罫線で区切られて設けられていることを特徴とするブリスター包装。
【発明の詳細な説明】
【技術分野】
【０００１】
この発明は、合成樹脂製の収容部と紙等の台紙を備え、商品を収容部に収納して店頭に陳列可能とするブリスター包装に関する。
【背景技術】
【０００２】
従来、商品を収容したブリスター包装は、吊下げ用の透孔が形成された紙製の台紙に、合成樹脂製の透明シートを成型して作られた収容部が貼り付けられ又は差し込まれて形成されている。収容部は、商品が適度なゆとりを有して収容される皿状の凹部と、凹部の周縁部に一体にフランジ部が設けられている。フランジ部は、台紙に貼り付けられる糊付片や台紙が差し込まれる部分となる。また、特許文献１，２のように、収容部が紙製の箱体で作られたものも提案されている。
【特許文献１】特開平１１−３２１９２２号公報
【特許文献２】特開２００１−２５３４７０号公報
【発明の開示】
【発明が解決しようとする課題】
【０００３】
上記従来の技術の場合、透明シートを皿状に成型した収容部は、成型するための成型機や金型が必要であり、大型の装置が必要でコストが掛かるものである。また、透明シートは成型時に角部分等大きく延伸され、平面部分も不均一に延伸されるため、透明シートに印刷を施しても形状がゆがんでしまうものであった。また、延伸する部分に印刷できないことから自由にデザインすることもできなかった。このため、商品名や効果等を十分に印刷することができないという問題があった。
【０００４】
その他、表示を広く行う方法として、シールを貼る方法もあるが、手間とコストが掛かっていた。また、樹脂製収容部を備えたブリスター包装は増加していく傾向にあり、意匠性も高くなっており、新しい機能を付与したブリスター包装も求められている。
【０００５】
一方、特許文献１，２に開示されている紙製ブリスターパックは、商品を収容する部分が紙製であるため、不透明であり商品が見えにくいという問題があった。
【０００６】
この発明は、上記従来の技術の問題点に鑑みて成されたものであり、意匠性が高く、機能的に新たな付加価値を付与することができるブリスター包装を提供することを目的とする。
【課題を解決するための手段】
【０００７】
本発明は、吊下げ用の係止部が設けられたシート状の台紙と、前記台紙に取り付けられた収容部が設けられたブリスター包装である。前記収容部は一枚の合成樹脂製ブランクシートから一体的に打ち抜かれた箱体形成片を折罫線で折り曲げて形成され、前記箱体形成片には、収容物を保持する側面と前記台紙に固定される糊付片が互いに折罫線で区切られて設けられている。
【０００８】
また、前記収容部は、前記側面の下端部を閉鎖する底蓋片が設けられ、前記底蓋片または前記側面の端部が前記台紙の下端部と同一平面上に位置し、前記底蓋片側を下にして前記収容部が略水平な面に自立可能である。前記底蓋片は前記側面と折罫線で区切られて設けられ、前記折罫線の途中には前記底蓋片側に突出するコの字形の切込線が設けられていてもよい。この場合、前記収容部を組み立て、前記側面に対して前記底蓋片が略直角に折り曲げられたとき、前記切込線の前記底蓋片側の端部が前記底蓋片から突出し、この端部が略水平な面に当接して確実に自立する。
【０００９】
また、前記収容部には、ミシン線で囲まれた取外し部が設けられ、前記ミシン線を破断して前記取外し部を取ることにより開封される。前記ミシン線を、前記側面と前記糊付片の間に設けてもよい。この場合、ミシン線を破断して前記台紙から前記収容部の側面を収容物が入った状態で外すことができる。
【００１０】
また、吊下げ用の係止部が設けられたシート状の台紙と、前記台紙に取り付けられ収容物を保持する保持部材が設けられたブリスター包装である。前記保持部材は一枚の合成樹脂製ブランクシートから一体的に打ち抜かれて設けられ、前記保持部材には、収容物を保持する保持穴部が形成された側面と、前記側面の両端部に連接された糊付片が互いに折罫線で区切られて設けられている。
【発明の効果】
【００１１】
本発明のブリスター包装は、収容部の印刷による文字や模様と、形状の両方からいろいろな意匠表現が可能で意匠性が高く、消費者に強い印象を与えることができる。印刷では、ＵＶ硬化型の印刷や、箔押等ができ、ラミネート加工も可能であり、自由にデザインすることができる。また形状では、箱体形成片を各折罫線で折り曲げるため、シャープなイメージにすることができ、折罫線を曲線にするなどして形状も自由にデザインすることができる。収容部に打ち抜き、罫入れ、ミシン線の形成が可能であり、開封機能、立上り保持機能等、機能性の面でも新たな付加価値を持たせることができる。
【発明を実施するための最良の形態】
【００１２】
以下、この発明の実施形態について図面に基づいて説明する。図１〜図３はこの発明の第一実施形態を示すもので、この実施形態のブリスター包装１０は、収容物である商品を収容する箱状の収容部１２が設けられている。収容部１２は、着色されまたは透明で可撓性を有する合成樹脂製の一枚のブランクシートを打ち抜いて形成された箱体形成片１４を組み立てて設けられている。図２は箱体形成片１４を表面から見た展開図であり、箱体形成片１４は、側面１６，１８，２０，２２が、互いに平行に連接して形成されている。側面１６，１８，２０，２２は、連接している幅方向は同じ長さであり、連接方向の長さは側面１８，２２が長くて互いにほぼ等しく、側面１６，２０は短くて互いにほぼ等しい。さらに側面２２の側縁部には、収容部１２の組立状態で側面１６の表面に糊付けされる第１糊付片２４が設けられている。そして、側面１６，１８，２０，２２、糊付片２４は、各々折罫線２６，２８，３０，３２で区切られている。
【００１３】
側面１６において、側面どうしの連接方向に対して直角な方向の一端部には、台形状のフラップ３４が折罫線３６で区切られて設けられている。側面１６の、折罫線３６と反対側の端部には、台形状のフラップ３８が折罫線４０で区切られて設けられている。同様に、側面２０の、ミシン線４４に隣接する端部には、台形状のフラップ５８が折罫線６０で区切られて設けられている。側面２０の、折罫線６０と反対側の端部には、台形状のフラップ６２が折罫線６４で区切られて設けられている。
【００１４】
側面１８の、側面１６の折罫線３６に隣接する端部には、後述する台紙７６に糊付けされる第２糊付片４２が設けられている。側面１６と第２糊付片４２の境界線は、断続する切断線で形成されたミシン線４４で区切られている。側面１８の、ミシン線４４に対して反対側の端部には、底蓋片４６が折罫線４８で区切られて設けられている。折罫線４８は、一対の中央側端部４８ａの間で途切れて抜けている。抜けた部分の間には、浅い台形状の切込線５０が設けられている。切込線５０の、一対の傾斜した部分の端部が折罫線４８の一対の中央側端部４８ａに各々接続し、切込線５０の中央の直線部５０ａは折罫線４８よりも底蓋片４６側に位置している。底蓋片４６の、折罫線４８と反対側の端部には、さらに差込片５４が折罫線５６で区切られて設けられている。折罫線５６の両端部には、差込片５４が、フラップ３８及び後述するフラップ６２と係止しやすいように、短い切込線が設けられている。
【００１５】
側面２２の、側面２０の折罫線６０に隣接する端部には、上蓋片６６が折罫線６８で区切られて設けられている。上蓋片６６の折罫線６８の反対側の端部には、さらに差込片７０が折罫線７２で区切られて設けられている。折罫線７２の両端部には、差込片７０がフラップ５８，３４と係止しやすいように短い切込線が設けられている。側面２２の、折罫線６８とは反対側の端部２２ａは、側面２０の折罫線６４よりも外側下方に位置している。端部２２ａの位置は、側面１８の切込線５０の、端部５０ａの延長線に一致している。
【００１６】
次に、収容部１２の組立方法の一例について説明する。なお、ここでは図２が箱体形成片１４の表面を見たものであり、箱体形成片１４の表面が凸になる折り方を正折り、そして裏面が凸になる折り方を逆折りと称する。
【００１７】
まず、折罫線２６を正折りし、次に第１糊付片２４の裏面に糊７４を塗布し、折罫線３０を正折りする。すると側面１６の表面が、糊７４により第１糊付片２４の裏面に糊付けされる。次に折罫線２６，２８，３０，３２を各々９０度に正折りして四角形の箱体にする。折罫線３６，６０でフラップ３４，５８を９０度に正折りし、その後折罫線６８で上蓋片６６を９０度に正折りし、差込片７０を折罫線７２で正折りし、差込片７０を側面１８の裏面側に差し込んで係止し、一方の端面が形成される。さらに、折罫線４０，６４でフラップ３８，６２を９０度に正折りし、その後折罫線４８で底蓋片４６を９０度に正折りし、差込片５４を折罫線５６で正折りし、差込片５４を側面２２の裏面側に差し込んで係止し、他方の端面が形成される。なお、収容部１２を組み立てる順番はこれ以外でもよく、適宜変更可能である。
【００１８】
そして、この実施形態のブリスター包装１０には、組み立てられた収容部１２を取り付ける台紙７６が設けられている。台紙７６は図３に示すように、紙製等のブランクシートを打ち抜いて作られ、上下方向に長い略矩形に形成されている。台紙７６の、水平方向の中心で上端部７６ａ近傍には、吊下げ用の係止部である透孔７８が設けられている。透孔７８の形状は、水平方向に長細い長丸と、この長丸の中心から台紙７６の上端部７６ａ側に半円が形成されたものである。
【００１９】
次に、台紙７６に、組み立てられた収容部１２を取り付ける工程の一例について説明する。収容部１２の第２糊付片４２の表面に、糊８０を塗布し、台紙７６の所定位置に糊付けする。糊付け位置は、収容部１２の側面１８の水平方向の中心が台紙７６の中心に一致し、側面２２の下方の端部２２ａが台紙７６の下端部７６ｂと一致し、側面１８の下方の端部５０ａが台紙７６の下端部７６ｂと一致するところである。これにより、端部２２ａ、５０ａ、及び下端部７６ｂが同一面上に位置する。
【００２０】
この後、収容部１２の中に商品を入れる。なお、ブリスター包装１０を組み立てる順番はこれ以外でもよく、適宜変更可能である。また、収容部１２を台紙７６に取り付けるとき、糊８０を塗布せず、台紙７６にヒートシール剤を塗工して、熱と圧力をかけて溶着させてもよい。また、収容部１２を打ち抜く合成樹製ブランクシートには、あらかじめ印刷や箔押しなどの加工が施され、収容部１２の装飾や商品説明としてもよい。
【００２１】
次に、この実施形態のブリスター包装１０の使用方法について説明する。商品が入れられたブリスター包装１０を吊下げて陳列するときは、台紙７６の透孔７８に吊り下げ棒等を挿入して吊下げて陳列する。また、棚等に置いて陳列するときは、収容部１２の、側面１８の端部５０ａと側面２２の端部２２ａ、及び台紙７６の下端部７６ｂが陳列棚の棚板等に当接して安定して立てておくことができる。
【００２２】
この実施形態のブリスター包装１０によれば、形状が斬新であり、意匠性に優れ、消費者に強い印象を与えることができる。収容部１２は熱をかけて成型するものではないので、自由なデザインで印刷や箔押しが可能であり、ＵＶ硬化型のベタ印刷や、ベタ箔押ができ、ラミネート加工も可能である。収容部１２は箱体形成片１４を組み立てて作られ加熱成型が不要なため、印刷がゆがむ心配が無く、位置合わせも不要である。その他、紫外線吸収剤を印刷してＵＶカット機能をもたせることもできる。また収容部１２の形状は、箱体形成片１４を各折罫線で折り曲げるため、シャープなイメージにすることができる。
【００２３】
収容部１２は、開封の際に台紙を破る必要が無く、上蓋片６６又は底蓋片４６を開封して簡単に商品を取り出すことができる。再度上蓋片６６又は底蓋片４６を閉じることもできる。また簡単に中仕切りを持たせることが可能である。収容部１２は、たたんで保管できるため、商品を入れる前の状態でスペースをとらずに保管や運搬をすることができる。
【００２４】
また、収容部１２は加熱成型が不要なことから、耐熱性を有するもの等、いろいろな素材で作ることができる。その他、収容部１２に打ち抜き、罫入れ、ミシン線の形成が可能であり、開封機能、立設保持機能等、機能性の面でも新たな付加価値を持たせることができ、加熱成型が不要であるため、成型装置が不要でコストが安価である。陳列方法は、吊下げても載置しても可能であり、場所に合わせて自由に陳列することができる。
【００２５】
次に、この発明の第二実施形態について図４〜図６に基づいて説明する。この実施形態のブリスター包装８２も、商品を収容する収容部８４を有し、収容部８４は、透明で可撓性を有する合成樹脂製の一枚のブランクシートを打ち抜いて形成された箱体形成片８６を組み立てて設けられている。図５は、箱体形成片８６を表面から見た展開図であり、箱体形成片８６は、側面８８，９０，９２が、互いに平行に連接して形成されている。側面８８，９０，９２は、連接方向に対して直角な一方の端部８８ａ，９０ａ，９２ａは同一仮想線上に位置し、側面８８，９２の他方の端部８８ｂ，９２ｂは、側面９０の端部９０ｂよりも外側下方に位置している。つまり側面８８，９２がほぼ同じ長さであり、側面９０は側面８８，９２よりも短く設けられている。側面８８，９０，９２の連接方向の長さはほぼ同じ長さである。さらに側面８８の側縁部には、後述する台紙１２８に糊付けされる第１糊付片９４が設けられている。そして、側面９２の反対側の側縁部には、台紙１２８に糊付けされる第２糊付片９６が設けられている。第１糊付片９４、側面８８，９０，９２、第２糊付片９６は、各々折罫線９８，１００，１０２，１０４で区切られている。
【００２６】
側面９０において、端部９０ａには、上蓋片１０６が折罫線１０８で区切られて設けられている。上蓋片１０６は略正方向であり、一辺の長さが側面９０の幅方向長さよりも僅かに長い。上蓋片１０６の、折罫線１０８と反対側の端部には、さらに第３糊付片１１０が折罫線１１２で区切られて設けられている。側面９０の反対側の端部９０ｂには、底蓋片１１４が折罫線１１６で区切られて設けられている。底蓋片１１４は略正方形であり、一辺の長さが側面９０の幅方向長さとほぼ等しく、底蓋片１１４の中間付近に側面８８，９２の端部８８ｂ，９２ｂが隣接している。底蓋片１１４の、折罫線１１６と反対側の端部には、さらに第４糊付片１１８が折罫線１２０で区切られて設けられている。
【００２７】
互いに連接された第１糊付片９４，側面８８，９０，９２，第２糊付片９６には、第１糊付片９４の側縁部から第２糊付片９６の側縁部に達する２本のミシン線１２２が設けられている。ミシン線１２２は直線で互いに平行であり、ミシン線１２２の内側は、開封用の取外し部１２４となる。第２糊付片９６の側縁部には、取外し部１２４に連続する扇形の摘み部１２６が設けられている。
【００２８】
そして、この実施形態のブリスター包装８２には、収容部８４を取り付ける台紙１２８が設けられている。台紙１２８は図６に示すように、紙製等のブランクシートを打ち抜いて設けられ、上下方向に長い略矩形に形成されている。台紙１２８の、垂直方向の一方の側縁部１２８ａに近く上端部１２８ｂ近傍には、円形の透孔１３０が設けられ、側縁部１２８ａの中心付近には、半円形の切欠き部１３２が形成されている。
【００２９】
ここで、台紙１２８に収容部８４を取り付ける工程の一例について説明する。収容部８４の箱体形成片８６の、側面９０に対して、側面８８，９２、上蓋片１０６、底蓋片１１４を、折罫線１００，１０２，１０８，１１６で９０度に正折りする。さらに、第１糊付片９４、第２糊付片９６、第３糊付片１１０、第４糊付片１１８を折罫線９８，１０４，１１２，１２０で９０度に逆折りする。そして、第１糊付片９４、第２糊付片９６、第３糊付片１１０、第４糊付片１１８の裏面に糊１３４を塗布し、側面８８，９０，９２で形成された空間の内側に商品を入れ、台紙１２８の所定位置に糊付けする。糊付け位置は、側面９０の水平方向の中心が透孔１３０の下方に位置し、第４糊付片１１８の下方の端部が台紙１２８の下端部１２８ｃに一致するところである。このとき、第４糊付片１１８と、側面８８の端部８８ｂ、側面９２の端部９２ｂは同一面上に位置し、台紙１２８の下端部１２８ｃに一致する。
【００３０】
次に、この実施形態のブリスター包装８２の使用方法について説明する。商品が入れられたブリスター包装８２を吊下げて陳列するときは、台紙１２８の透孔１３０に吊り下げ棒等を挿入して吊下げて陳列する。また、棚等に置いて陳列するときは、収容部８４の側面８８の端部８８ｂと、側面９２の端部９２ｂ、台紙１２８の下端部１２８ｃが陳列棚の棚板等に当接して安定して立てておくことができる。開封するときは、摘み部１２６を引き起こして、ミシン線１２２を破断させ、取外し部１２４を取る。すると、側面８８，９０，９２が分割し、分割した部分から中の商品を取り出すことができる。
【００３１】
この実施形態のブリスター包装８２によれば、上記実施の形態と同様の効果を有するものである。そして、収容部８４にミシン線１２２で区切られた取外し部１２４が設けられているため、開封が容易で簡単に商品を取り出すことができる。取外し部１２４の摘み部１２６は、重ねられた台紙１２８に切欠き部１３２が形成されているため、つまみやすくなっている。箱体形成片８６の組立が簡単で、台紙１２８に直接糊付けして収容部８４を組み立てることができ、作業工程が少なく生産効率が良い。
【００３２】
次に、この発明の第三実施形態について図７〜図９に基づいて説明する。この実施形態のブリスター包装１３６も、商品を収容する収容部１３８を有し、収容部１３８は、透明で可撓性を有する合成樹脂製の一枚のブランクシートを打ち抜いて形成された箱体形成片１４０を組み立てて設けられている。図８は、箱体形成片１４０を表面から見た展開図であり、箱体形成片１４０は、側面１４２，１４４，１４６が、互いに平行に連接して形成されている。側面１４２，１４４，１４６は、連接している幅方向は同じ長さであり、連接方向の長さは側面１４４が大きく、側面１４２，１４６がほぼ同じ長さで側面１４４よりも小さく形成されている。さらに側面１４２の側縁部には、後述する台紙１８６に糊付けされる第１糊付片１４８が設けられている。そして、側面１４６の反対側の側縁部には、台紙１８６に糊付けされる第２糊付片１５０が設けられている。第１糊付片１４８、側面１４２，１４４，１４６、第２糊付片１５０は、各々折罫線１５２，１５４，１５６，１６０で区切られている。
【００３３】
側面１４４において、側面同士の連接方向に対して直角な方向の一端部には、上蓋片１６２が折罫線１６４で区切られて設けられている。上蓋片１６２の、折罫線１６４と反対側の端部には、さらに第１差込片１６６が折罫線１６８で区切られて設けられている。上蓋片１６２は、側面１４４より幅が広く形成され、第１差込片１６６は上蓋片１６２よりもさらに幅が広く形成されている。側面１４４の、折罫線１６４と反対側の端部には、底蓋片１７０が折罫線１７２で区切られて設けられている。底蓋片１７０の、折罫線１７２と反対側の端部には、さらに第２差込片１７４が折罫線１７６で区切られて設けられている。底蓋片１７０は、側面１４４より幅が広く形成され、第２差込片１７４は側面１４４とほぼ同じ幅に形成されている。折罫線１７６には、途中の２箇所で途切れ、浅い台形状の切込線１７８が設けられている。各切込線１７８の、一対の傾斜した部分の端部１７８ａが折罫線１７６の端部に位置し、中央の直線部１７８ｂは折罫線１７６よりも第２差込片１７４側に位置している。折罫線１７６は、一対の切込線１７８の間にも位置している。
【００３４】
第２差込片１７４の、折罫線１７６に対してほぼ直角に位置する一対の側縁部１７４ａには、各々第３差込片１８０が外側に突出して設けられている。一対の第３差込片１８０は、第１差込片１５８にミシン線１８２で区切られて設けられている。第２差込片１７４の、折罫線１７６と反対側の端部１７４ｂには、ほぼ中心に半円形の切欠き部１８４が形成されている。
【００３５】
そして、この実施形態のブリスター包装１３６には、収容部１３８を取り付ける台紙１８６が設けられている。台紙１８６は図９に示すように、紙製等のブランクシートを打ち抜いて設けられ、上下方向に長い略矩形に形成されている。台紙１８６の、水平方向の中心で上端部１８６ａ近傍には、透孔１８８が設けられている。透孔１８８の形状は、水平方向に長細い長丸と、この長丸の中心から台紙１８６の上端部１８６ａ側に半円が形成されたものである。台紙１８６の下端部１８６ｂには、下端部１８６ｂから台紙１８６の垂直方向の約３分の１程度の長さに達する破断線１９０が設けられている。破断線１９０は、台紙１８６の下端部１８６ｂの中心を挟んで左右に一対が設けられ、破断線１９０の上端部は、互いに離れる方向へ湾曲している。
【００３６】
ここで、台紙１８６に収容部１３８を取り付ける工程の一例について説明する。収容部１３８の箱体形成片１４０の、側面１４４に対して、側面１４２，１４６、上蓋片１６２、底蓋片１７０を、折罫線１５４，１５６，１６４，１７２で９０度に正折りする。そして、第１糊付片１４８と第２糊付片１５０を、折罫線１５２，１６０で９０度に逆折りし、第１差込片１６６と第２差込片１７４を、折罫線１６８，１７６で９０度に正折りする。そして、第１糊付片１４８と第２糊付片１５０の裏面に糊１９２を塗布し、側面１４２，１４４，１４６で形成された空間の内側に予め商品を入れ、台紙１８６の所定位置に糊付けする。糊付け位置は、側面１４４の水平方向の中心が透孔１８８の下方に位置し、第２差込片１７４の下方の直線部１７８ｂが台紙１８６の下端部１８６ｂに一致するところである。このとき、第１差込片１６６の両端部は、第１糊付片１４８と第３糊付片１５０に押さえられて台紙１８６に糊付けされる。第２差込片１７４の両端部の第３差込片１８０も、第１糊付片１４８と第３糊付片１５０に押さえられて台紙１８６に糊付けされる。
【００３７】
次に、この実施形態のブリスター包装１３６の使用方法について説明する。商品が入れられたブリスター包装１３６を吊下げて陳列するときは、台紙１８６の透孔１８８に吊り下げ棒等を挿入して吊下げて陳列する。また、棚等に置いて陳列するときは、収容部１３８の底蓋片１７０の切込線１７８の直線部１７８ｂと、折罫線１７２が、陳列棚の棚板等に当接して安定して立てておくことができる。ブリスター包装１３６を開封するときは、台紙１８６の一対の破断線１９０を切断して台紙１８６の下端部１８６ｂ付近を開き、収容部１３８の第２差込片１７４を引き出す。このとき、第２差込片１７４の切欠き部１８４に指を入れると引き出しやすい。第３差込片１８０は第１糊付片１４８と第３糊付片１５０に押さえられて台紙１８６に固定されているが、ミシン線１８２で切断されて第２差込片１７４だけ引き出すことができる。そして第２差込片１７４を開いて商品を取り出す。
【００３８】
この実施形態のブリスター包装１３６によれば、上記実施の形態と同様の効果を有するものである。そして、収容部１３８を容易に開封して簡単に中の商品を取り出すことができる。陳列方法は、吊下げても載置しても可能であり、場所に合わせて自由に陳列することができる。
【００３９】
次に、この発明の第四実施形態について図１０〜図１２に基づいて説明する。この実施形態のブリスター包装１９４も、商品を収容する収容部１９６を有し、収容部１９６は、透明で可撓性を有する合成樹脂製の一枚のブランクシートを打ち抜いて形成された箱体形成片１９８を組み立てて設けられている。図１１は、箱体形成片１９８を表面から見た展開図であり、箱体形成片１９８は、側面２００，２０２，２０４が、互いに平行に連接して形成されている。側面２００，２０２，２０４の一方の端部２００ａ，２０２ａ，２０４ａは同一仮想線上に位置し、側面２０２の他方の端部２０２ｂは端部２０２ａに対して平行である。また、側面２００，２０４の他方の端部２００ｂ，２０４ｂは互いに対称に傾斜し、端部２００ｂ，２０４ｂの延長線が端部２０２ｂ側から互いに近づく方向に延びた交点が、側面２０２の延長上の中央に位置し、端部２０２ｂ，２０４ｂの他端部の延長線は、互いに離れるに従い端部２００ａ，２０４ａの延長線と交わるような傾斜に設けられている。側面２００，２０２，２０４の連接方向の長さはほぼ同じ長さである。さらに側面２００の側縁部には、後述する台紙２３４に固定される第１取付片２０６が設けられている。そして、側面２０４の反対側の側縁部には、台紙２３４に固定される第２取付片２０８が設けられている。第１取付片２０６、側面２００，２０２，２０４、第２取付片２０８は、各々折罫線２１０，２１２，２１４，２１６で区切られている。
【００４０】
側面２０２において、側面どうしの連接方向に対して直角な方向の一端部には、上蓋片２１８が折罫線２２０で区切られて設けられている。上蓋片２１８の、折罫線２２０と反対側の端部には、さらに第１糊付片２２２が折罫線２２４で区切られて設けられている。側面２０２の折罫線２２０と反対側の端部には、底蓋片２２６が折罫線２２８で区切られて設けられている。底蓋片２２６の、折罫線２２８と反対側の端部には、さらに第２糊付片２３０が折罫線２３２で区切られて設けられている。
【００４１】
そして、この実施形態のブリスター包装１９４には、収容部１９６を取り付ける台紙２３４が設けられている。台紙２３４は図１２に示すように、紙製等のブランクシートを打ち抜いて設けられ、上下方向に長い略矩形に形成されている。台紙２３４の、垂直方向の一方の側縁部２３４ａに近く上端部２３４ｂ近傍には、透孔２３６が設けられている。
【００４２】
次に、台紙２３４に、収容部１９６を取り付ける工程の一例について説明する。収容部１９６の箱体形成片１９８の、側面２０２に対して、側面２００，２０４を、折罫線２１２，２１４で６０度程度に正折りする。さらに、第１取付片２０６、第２取付片２０８を折罫線２１０，２１６で６０度程度に逆折りし、折罫線２１０，２１６が互いに接するようにする。そして、第１糊付片２２２、第２糊付片２３０の裏面に糊２３８を塗布し、側面２００，２０２，２０４で形成された空間の内側に商品を入れ、台紙２３４の所定位置に糊付けする。糊付け位置は、側面２０２の水平方向の中心が透孔２３６の下方に一致し、第２糊付片２３０の下方の端部が台紙２３４の下端部に一致するとともに折罫線２２８が台紙２３４の下端部と同じ水平面状に位置するところである。ここで、第１糊付片２２２と第２糊付片２３０は、台紙２３４上の、側面２０２の内側に位置し、第１取付片２０６、第２取付片２０８の両端部に重ねて台紙２３４上に糊付けされる。また側面２００，２０４は、台紙２３４に近づくに従い、互いに近づくように傾斜している。また、側面２００，２０４の端部２００ｂ，２０４ｂは、側面２０２から離れるに従い端部２００ａ，２０４ａに近づくような傾斜になっているため、底蓋片２２６も、端部２００ｂ，２０４ｂに沿って、側面２０２から離れるに従い端部２００ａ，２０４ａに近づくような傾斜になっている。側面２００，２０２，２０４で形成された空間は、縦方向に長細い三角柱状となり、中に入れる商品は口紅等の長細いものが適し、商品が側面２０２の内側近傍に安定して保持される。
【００４３】
次に、この実施形態のブリスター包装１９４の使用方法について説明する。商品が入れられたブリスター包装１９４は、台紙２３４の透孔２３６に吊り下げ棒等を挿入して吊下げて陳列する。開封するときは、上蓋片２１８等を台紙２３４から剥がす。
【００４４】
この実施形態のブリスター包装１９８によれば、上記実施の形態と同様の効果を有するものである。そして、口紅等の細長い商品を安定して保持し、きれいに陳列することができる。側面２０２は広くて印刷を多くすることができ、側面２０２の内側は台紙２３４に向かって狭くなり、確実に商品を保持することができる。
【００４５】
次にこの発明の第五実施形態について図１３〜図１５に基づいて説明する。この実施形態のブリスター包装２４０は、商品を保持する保持部材２４２を有し、保持部材２４２は、透明で可撓性を有する合成樹脂製の一枚のブランクシートを打ち抜いて形成されている。図１４は、保持部材２４２を表面から見た展開図であり、保持部材２４２は細長い側面２４４を有している。側面２４４の長手方向に沿う中心線上に、２個の保持穴部２４６が設けられている。各保持穴部２４６は、側面２４４の長手方向の端部２４４ａ，２４４ｂからほぼ同じ長さに位置し、側面２４４の長手方向に長い楕円形に形成されている。側面２４４の、端部２４４ａ，２４４ｂには、立上り片２４８，２５０が折罫線２５２，２５４で区切られて設けられている。立上り片２４８，２５０には、さらに糊付片２５６，２５８が折罫線２６０，２６２で区切られて設けられている。
【００４６】
そして、この実施形態のブリスター包装２４０には、保持部材２４２を取り付ける台紙２６４が設けられている。台紙２６４は図１５に示すように、紙製等のブランクシートを打ち抜いて設けられ、上下方向に長い略矩形に形成されている。台紙２６４の、垂直方向の一方の側縁部２６４ａに近く上端部２６４ｂ近傍には、透孔２６６が設けられている。台紙２６４の、下端部２６４ｃには、透孔２６６の下方に、ミシン線２６７が形成されている。ミシン線２６７は、下端部２６４ｃに開口するコの字形に形成され、ミシン線２６７の内側は、開封用の取外し部２６９となる。
【００４７】
次に、台紙２６４に、保持部材２４２を取り付ける工程の一例について説明する。保持部材２４２の、側面２４４に対して立上り片２４８，２５０を、折罫線２５２，２５４で９０度に正折りする。さらに、糊付片２５６，２５８を折罫線２６０，２６２で９０度に逆折りする。そして糊付片２５６，２５８の裏面に糊２６８を塗布し、側面２４４の保持穴部２４６にペン等の棒状の商品２７０を挿通する。商品２７０の、両端部分は側面２４４の表面側から保持穴部２４６に差し込み、側面２４４の裏面に貫通させ、商品２７０の中央部分は、側面２４４の表面に位置し、側面２４４はＭ字状に湾曲される。そして、糊付片２５６，２５８を台紙２６４の所定位置に糊付けする。糊付け位置は、側面２４４の水平方向の中心が透孔２６６の下方に一致し、保持部材２４２の下方に位置する糊付片２５８がミシン線２６７で囲まれた取外し部２６９に一致するところである。
【００４８】
次に、この実施形態のブリスター包装２４０の使用方法について説明する。商品２７０が保持されたブリスター包装２４０は、台紙２６４の透孔２６６に吊り下げ棒等を挿入して吊下げて陳列する。商品２７０を取り出すとき、台紙２６４のミシン線２６７を破断して、取外し部２６９を取ると、保持部材２４２の糊付片２５８も取外し部２６９に付いて台紙２６４から離れて折り曲げ操作が容易となり、商品２７０を保持穴部２４６から抜いて外す。
【００４９】
この実施形態のブリスター包装２４０によれば、簡単な構造で棒状の商品２７０を吊下げ式に陳列することができる。そして台紙２６４にミシン線２６７で区切られた取外し部２６９が設けられているため、開封が容易で簡単に商品２７０を外すことができる。
【００５０】
なお、この発明のブリスター包装は、上記各実施形態に限定されるものではなく、各部材の形状、数、取り付け位置、組立工程等、適宜変更可能である。なお、印刷は自由なデザインで行うことができ、また折罫線を曲線にするなどして形状も自由にデザインすることができる。糊付け片の固定も、接着剤による糊付けの他、ホットメルトや溶着も含むものである。
【図面の簡単な説明】
【００５１】
【図１】この発明の第一実施形態のブリスター包装の斜視図である。
【図２】この実施形態のブリスター包装の収容部の箱体形成片を示す正面図である。
【図３】この実施形態のブリスター包装の台紙の正面図である。
【図４】この発明の第二実施形態のブリスター包装の斜視図である。
【図５】この実施形態のブリスター包装の収容部の箱体形成片を示す正面図である。
【図６】この実施形態のブリスター包装の台紙の正面図である。
【図７】この発明の第三実施形態のブリスター包装の斜視図である。
【図８】この実施形態のブリスター包装の収容部の箱体形成片を示す正面図である。
【図９】この実施形態のブリスター包装の台紙の正面図である。
【図１０】この発明の第四実施形態のブリスター包装の斜視図である。
【図１１】この実施形態のブリスター包装の収容部の箱体形成片を示す正面図である。
【図１２】この実施形態のブリスター包装の台紙の正面図である。
【図１３】この発明の第五実施形態のブリスター包装の斜視図である。
【図１４】この実施形態のブリスター包装の保持部材の正面図である。
【図１５】この実施形態のブリスター包装の台紙の正面図である。
【符号の説明】
【００５２】
１０  ブリスター包装
１２  収容部
１４  箱体形成片
１６，１８，２０，２２  側面
２４  第１糊付片
４２  第２糊付片
４６  底蓋片
５０  切込線
６６  上蓋片
７４，８０  糊
７６  台紙
７８  透孔
【図１】
2008018964.tif 000003
【図２】
2008018964.tif 000004
【図３】
2008018964.tif 000005
【図４】
2008018964.tif 000006
【図５】
2008018964.tif 000007
【図６】
2008018964.tif 000008
【図７】
2008018964.tif 000009
【図８】
2008018964.tif 000010
【図９】
2008018964.tif 000011
【図１０】
2008018964.tif 000012
【図１１】
2008018964.tif 000013
【図１２】
2008018964.tif 000014
【図１３】
2008018964.tif 000015
【図１４】
2008018964.tif 000016
【図１５】
2008018964.tif 000017